Podtech/llm-jp-corpus-v4-ja_patent huggingface dataset:
【手続補正書】
【提出日】平成30年6月12日(2018.6.12)
【手続補正１】
【補正対象書類名】特許請求の範囲
【補正対象項目名】全文
【補正方法】変更
【補正の内容】
【特許請求の範囲】
【請求項１】
入力イメージをアップスケーリングする方法であって、スーパーピクセルを使用したクロススケール自己相似性マッチングが、アップスケーリングされたイメージにおける不足しているディテールを代用するものを得るために用いられ、前記スーパーピクセルは、意味記述によって定義される前記入力イメージのオブジェクトに対応する、前記方法において、
前記入力イメージ及び１つ以上の補助入力イメージのために、前記入力イメージと前記１つ以上の補助入力イメージの間において一貫性のあるスーパーピクセルを生成することと、
前記一貫性のあるスーパーピクセルに基づきスーパーピクセルテストベクトルを生成し、該スーパーピクセルテストベクトルは、前記入力イメージ及び前記１つ以上の補助入力イメージにおいて適切なクロススケール自己相似性一致を探すよう適応されることと、
前記スーパーピクセルテストベクトルを用いて前記入力イメージ及び前記１つ以上の補助入力イメージに対してクロススケール自己相似性マッチングを実施することと、
前記クロススケール自己相似性マッチングの結果を用いて、アップスケーリングされた出力イメージを生成することと
を有する方法。
【請求項２】
高解像低周波イメージを得るよう前記入力イメージをアップスケーリングすることと、
前記入力イメージと前記高解像低周波イメージとの間、及び前記１つ以上の補助入力イメージと前記高解像低周波イメージとの間で、一致位置を特定することと、
前記一致位置を用いて、前記入力イメージ及び前記１つ以上の補助入力イメージから、高解像高周波合成イメージを構成することと、
前記高解像低周波イメージ及び前記高解像高周波合成イメージを高解像のアップスケーリングされた出力イメージへと結合することと
を有する請求項１に記載の方法。
【請求項３】
前記入力イメージ及び前記１つ以上の補助入力イメージは、一連のイメージの中の連続したイメージ、又はシーンのマルチビューイメージである、
請求項１又は２に記載の方法。
【請求項４】
前記入力イメージ及び前記１つ以上の補助入力イメージは、低解像低周波イメージ及び低解像高周波イメージに分けられたバンドであり、
前記低解像低周波イメージは、前記クロススケール自己相似性マッチングのために使用され、前記低解像高周波イメージは、前記アップスケーリングされた出力イメージを生成するために使用される、
請求項１乃至３のうちいずれか一項に記載の方法。
【請求項５】
前記アップスケーリングされた出力イメージを生成するイメージブロックは、
前記クロススケール自己相似性マッチングの最良の一致によって定義される単一のイメージブロックを選択すること、
前記クロススケール自己相似性マッチングの一致によって定義されるブロックの全て又は一部の線形結合を生成すること、及び
前記クロススケール自己相似性マッチングの一致によって定義される全てのイメージブロックにわたる平均を生成すること
のうちの少なくとも１つを実施することによって、生成される、
請求項１乃至４のうちいずれか一項に記載の方法。
【請求項６】
入力イメージをアップスケーリングすることを可能にする命令を記憶しているコンピュータ可読記憶媒体であって、スーパーピクセルを使用したクロススケール自己相似性マッチングが、アップスケーリングされたイメージにおける不足しているディテールを代用するものを得るために用いられ、前記スーパーピクセルは、意味記述によって定義される前記入力イメージのオブジェクトに対応する、前記コンピュータ可読記憶媒体において、
前記命令は、コンピュータによって実行される場合に、該コンピュータに、
前記入力イメージ及び１つ以上の補助入力イメージのために、前記入力イメージと前記１つ以上の補助入力イメージの間において一貫性のあるスーパーピクセルを生成させ、
前記一貫性のあるスーパーピクセルに基づきスーパーピクセルテストベクトルを生成させ、該スーパーピクセルテストベクトルは、前記入力イメージ及び前記１つ以上の補助入力イメージにおいて適切なクロススケール自己相似性一致を探すよう適応され、
前記スーパーピクセルテストベクトルを用いて前記入力イメージ及び前記１つ以上の補助入力イメージに対してクロススケール自己相似性マッチングを実施させ、
前記クロススケール自己相似性マッチングの結果を用いて、アップスケーリングされた出力イメージを生成させる、
コンピュータ可読記憶媒体。
【請求項７】
入力イメージをアップスケーリングするよう構成される装置であって、スーパーピクセルを使用したクロススケール自己相似性マッチングが、アップスケーリングされたイメージにおける不足しているディテールを代用するものを得るために用いられ、前記スーパーピクセルは、意味記述によって定義される前記入力イメージのオブジェクトに対応する、前記装置において、
前記入力イメージ及び１つ以上の補助入力イメージのために、前記入力イメージと前記１つ以上の補助入力イメージの間において一貫性のあるスーパーピクセルを生成し、該一貫性のあるスーパーピクセルに基づきスーパーピクセルテストベクトルを生成するよう構成されるスーパーピクセルベクトル生成部であり、前記スーパーピクセルテストベクトルは、前記入力イメージ及び前記１つ以上の補助入力イメージにおいて適切なクロススケール自己相似性一致を探すよう適応される、前記スーパーピクセルベクトル生成部と、
前記スーパーピクセルテストベクトルを用いて前記入力イメージ及び前記１つ以上の補助入力イメージに対してクロススケール自己相似性マッチングを実施するよう構成されるマッチングブロックと、
前記クロススケール自己相似性マッチングの結果を用いて、アップスケーリングされた出力イメージを生成するよう構成される出力イメージ生成部と
を有する装置。
【請求項８】
入力イメージをアップスケーリングするよう構成される装置であって、スーパーピクセルを使用したクロススケール自己相似性マッチングが、アップスケーリングされたイメージにおける不足しているディテールを代用するものを得るために用いられる、前記装置において、
プロセッシングデバイス及びメモリデバイスを有し、
前記メモリデバイスには、
前記プロセッシングデバイスによって実行される場合に、当該装置に、
前記入力イメージ及び１つ以上の補助入力イメージのために、一貫性のあるスーパーピクセルを生成させ、
前記一貫性のあるスーパーピクセルに基づきスーパーピクセルテストベクトルを生成させ、
前記スーパーピクセルテストベクトルを用いて前記入力イメージ及び前記１つ以上の補助入力イメージに対してクロススケール自己相似性マッチングを実施させ、
前記クロススケール自己相似性マッチングの結果を用いて、アップスケーリングされた出力イメージを生成させる
命令が記憶されている、装置。
【手続補正書】
【提出日】平成30年5月30日(2018.5.30)
【手続補正１】
【補正対象書類名】特許請求の範囲
【補正対象項目名】全文
【補正方法】変更
【補正の内容】
【特許請求の範囲】
【請求項１】
ベクトルをスケーリングするための方法であって、前記方法は、
少なくとも１つのプロセッサによって、ベクトルの成分を受信することと、ここにおいて、前記ベクトルの前記成分の各々が少なくとも１つの指数を備える、
前記少なくとも１つのプロセッサによって、前記ベクトルの前記成分のそれぞれの指数の中から最大指数を決定することと、
前記少なくとも１つのプロセッサの算術論理ユニット（ＡＬＵ）によって、前記ベクトルをスケーリングすることであって、前記ベクトルの前記成分の前記それぞれの指数の各指数について、
前記それぞれの成分が０または非正規数である場合、前記指数を０に設定することと、
前記それぞれの成分が０でなく、非正規数でない場合、前記指数から前記最大指数を減算することと
を含む、前記ベクトルをスケーリングすることと
を備える、方法。
【請求項２】
前記ベクトルの前記成分の各々が浮動小数点数を備え、ここにおいて、前記浮動小数点数が、符号ビット、仮数、および前記指数として表される、請求項１に記載の方法。
【請求項３】
前記ベクトルが３次元ベクトルを備え、
前記ベクトルの前記成分が、ｘ成分と、ｙ成分と、ｚ成分とを備える、
請求項１に記載の方法。
【請求項４】
前記ベクトルをスケーリングすることが、
前記ＡＬＵによって、第１のクロックサイクルにおいて前記ベクトルの前記ｘ成分の第１の指数から前記最大指数を減算することによって、前記ベクトルの前記ｘ成分をスケーリングすることと、
前記ＡＬＵによって、第２のクロックサイクルにおいて前記ベクトルの前記ｙ成分の第２の指数から前記最大指数を減算することによって、前記ベクトルの前記ｙ成分をスケーリングすることと、
前記ＡＬＵによって、第３のクロックサイクルにおいて前記ベクトルの前記ｚ成分の第３の指数から前記最大指数を減算することによって、前記ベクトルの前記ｚ成分をスケーリングすることと
をさらに備える、請求項３に記載の方法。
【請求項５】
前記スケーリングされたｘ成分と、前記スケーリングされたｙ成分と、前記スケーリングされたｚ成分とをメモリ中の連続する記憶ロケーションに出力すること
をさらに備える、請求項４に記載の方法。
【請求項６】
前記ＡＬＵがハードウェアデジタル回路を備える、請求項１に記載の方法。
【請求項７】
ベクトルをスケーリングするための装置であって、前記装置は、
ベクトルの成分を記憶するように構成されたメモリと、ここにおいて、前記ベクトルの前記成分の各々が少なくとも１つの指数を備える、
前記ベクトルの前記成分のそれぞれの指数の中から最大指数を決定すること
を行うように構成された少なくとも１つのプロセッサと、
前記ベクトルをスケーリングするように構成された算術論理ユニット（ＡＬＵ）であって、前記ベクトルの前記成分の前記それぞれの指数の各指数について、
前記それぞれの成分が０または非正規数である場合、前記指数を０に設定することと、
前記それぞれの成分が０でなく、非正規数でない場合、前記指数から前記最大指数を減算することと
を含む、算術論理ユニット（ＡＬＵ）と
を備える、装置。
【請求項８】
前記ベクトルの前記成分の各々が浮動小数点数を備え、ここにおいて、前記浮動小数点数が、符号ビット、仮数、および前記指数として表される、請求項７に記載の装置。
【請求項９】
前記ベクトルが３次元ベクトルを備え、
前記ベクトルの前記成分が、ｘ成分と、ｙ成分と、ｚ成分とを備える、
請求項７に記載の装置。
【請求項１０】
前記ＡＬＵが、
第１のクロックサイクルにおいて前記ベクトルの前記ｘ成分の第１の指数から前記最大指数を減算することによって、前記ベクトルの前記ｘ成分をスケーリングすることと、
第２のクロックサイクルにおいて前記ベクトルの前記ｙ成分の第２の指数から前記最大指数を減算することによって、前記ベクトルの前記ｙ成分をスケーリングすることと、
第３のクロックサイクルにおいて前記ベクトルの前記ｚ成分の第３の指数から前記最大指数を減算することによって、前記ベクトルの前記ｚ成分をスケーリングすることと
を行うように構成された、請求項９に記載の装置。
【請求項１１】
前記ＡＬＵが、
前記スケーリングされたｘ成分と、前記スケーリングされたｙ成分と、前記スケーリングされたｚ成分とを前記メモリ中の連続する記憶ロケーションに出力すること
を行うように構成された、請求項１０に記載の装置。
【請求項１２】
前記ＡＬＵがハードウェアデジタル回路を備える、請求項７に記載の装置。
【請求項１３】
実行されたとき、１つまたは複数のプログラマブルプロセッサに、請求項１ないし６のいずれか一項に記載の方法を行わせる命令を記憶するコンピュータ可読記憶媒体。
【手続補正書】
【提出日】平成30年5月31日(2018.5.31)
【手続補正１】
【補正対象書類名】特許請求の範囲
【補正対象項目名】全文
【補正方法】変更
【補正の内容】
【特許請求の範囲】
【請求項１】
コンピューティングデバイスであって、
少なくとも１つのプロセッサーと、
前記少なくとも１つのプロセッサーに接続されたメモリーであって、前記少なくとも１つのメモリー及び前記少なくとも１つのプロセッサーは、それぞれ、前記コンピューティングデバイスに動作を実行させる命令を格納及び実行するように構成され、前記動作は、
機械学習アプリケーションのためのタスク定義を受け取るステップと、
前記機械学習アプリケーションのための前記タスク定義を受け取ることに応答して、データセットの潜在的な使用に対して、及び前記機械学習アプリケーションのための前記受け取られたタスク定義に従って、複数の以前に生成された特徴化を自動的に特定するステップと、
前記受け取られたタスク定義を満たすために、前記複数の以前に生成された特徴化のうちの少なくとも１つの使用についての実行試験に基づいて、前記複数の特定された以前に生成された特徴化のうちの前記少なくとも１つを選択するステップと、
前記機械学習アプリケーションによる受け取られたデータセットの少なくとも一部についての処理のために、前記以前に生成された特徴化のうちの前記選択された少なくとも１つを出力するステップと
を含む、メモリーと
を備えるコンピューティングデバイス。
【請求項２】
前記動作は、
前記受け取られたデータセットをデータセットのライブラリーと比較するステップをさらに含み、
前記複数の特定された以前に生成された特徴化のうちの前記少なくとも１つを選択するステップは、前記比較に基づく、
請求項１に記載のコンピューティングデバイス。
【請求項３】
前記動作は、
前記以前に生成された特徴化のうちの前記選択された少なくとも１つによって、前記データセットの前記少なくとも一部を、生データから、機械学習アルゴリズムにとって語義的に意味のある少なくとも１つのより高度な特徴へと処理するステップをさらに含む、請求項１に記載のコンピューティングデバイス。
【請求項４】
前記動作は、
前記受け取られたタスク定義をタスク定義のライブラリーと比較するステップをさらに含み、
前記複数の特定された以前に生成された特徴化のうちの前記少なくとも１つを選択するステップは、前記比較に基づく、
請求項１に記載のコンピューティングデバイス。
【請求項５】
前記動作は、
前記複数の特定された以前に生成された特徴化のうちの少なくとも１つについて過去の訓練実行の結果を調査するステップをさらに含む、請求項１に記載のコンピューティングデバイス。
【請求項６】
前記動作は、
前記複数の特定された以前に生成された特徴化のうちの少なくとも１つを前記受け取られたデータセットに適用した複数の試験実行の結果を調査するステップをさらに含み、
前記複数の特定された以前に生成された特徴化のうちの前記少なくとも１つを選択するステップは、前記結果に基づく、
請求項１に記載のコンピューティングデバイス。
【請求項７】
前記動作は、
成功が測定される方法の定義を受け取るステップをさらに含む、
請求項１に記載のコンピューティングデバイス。
【請求項８】
機械学習アプリケーションのためのタスク定義を受け取るステップと、
前記機械学習アプリケーションのための前記タスク定義を受け取ることに応答して、データセットの潜在的な使用に対して、及び前記機械学習アプリケーションのための前記受け取られたタスク定義に従って、複数の以前に生成された特徴化を自動的に特定するステップと、
前記受け取られたタスク定義を満たすために、前記複数の以前に生成された特徴化のうちの少なくとも１つの使用についての実行試験に基づいて、前記複数の特定された以前に生成された特徴化のうちの前記少なくとも１つを選択するステップと、
前記機械学習アプリケーションによる受け取られたデータセットの少なくとも一部についての処理のために、前記以前に生成された特徴化のうちの前記選択された少なくとも１つを出力するステップと
を含む、方法。
【請求項９】
前記受け取られたデータセットをデータセットのライブラリーと比較するステップをさらに含み、
前記複数の特定された以前に生成された特徴化のうちの前記少なくとも１つを選択するステップは、前記比較に基づく、
請求項８に記載の方法。
【請求項１０】
前記受け取られたタスク定義をタスク定義のライブラリーと比較するステップをさらに含み、
前記複数の特定された以前に生成された特徴化のうちの前記少なくとも１つを選択するステップは、前記比較に基づく、
請求項８に記載の方法。
【請求項１１】
前記複数の特定された以前に生成された特徴化のうちの前記選択された少なくとも１つについて過去の訓練実行の結果を調査するステップをさらに含む、
請求項１０に記載の方法。
【請求項１２】
前記複数の特定された以前に生成された特徴化のうちの少なくとも１つを前記受け取られたデータセットに適用した複数の試験実行の結果を調査するステップをさらに含み、
前記複数の特定された以前に生成された特徴化のうちの前記少なくとも１つを選択するステップは、前記複数の試験実行の結果の比較に基づく、
請求項８に記載の方法。
【請求項１３】
前記以前に生成された特徴化のうちの前記選択された少なくとも１つによって、前記データセットの前記少なくとも一部を、生データから、機械学習アルゴリズムにとって語義的に意味のある少なくとも１つのより高度な特徴へと処理するステップをさらに含む、
請求項８に記載の方法。
【請求項１４】
成功が測定される方法の定義を受け取るステップをさらに含む、
請求項８に記載の方法。
【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
系統電圧（３）に接続された電力発生器（２）を定格動作モードで動作させる方法において、
前記系統電圧（３）又は前記系統電圧（３）から導出されるパラメータを、少なくとも１つの所定のイベントの発生に関して監視し、
前記少なくとも１つの所定のイベントが発生した場合に、前記電力発生器（２）の、前記定格動作モードとは異なる規定の動作モードをトリガし、
当該方法は、負荷、特にプラズマ負荷に電力を供給するために使用され、
前記定格動作モードでは、前記負荷に供給すべき電力信号を、前記系統電圧（３）に接続された前記電力発生器（２）によって生成する、
ことを特徴とする方法。
【請求項２】
第１イベントの発生を特定するために、前記系統電圧（３）又は前記系統電圧（３）から導出されるパラメータを、第１基準値（ＵＮ１）の突破、特に第１基準値（ＵＮ１）の下回りに関して監視する、
請求項１記載の方法。
【請求項３】
第１イベントの発生を特定するために、前記系統電圧（３）又は前記系統電圧（３）から導出されるパラメータを、前記第１基準値（ＵＮ１）を突破している期間、特に前記第１基準値（ＵＮ１）を下回っている期間に関して監視する、
請求項１又は２記載の方法。
【請求項４】
前記負荷、特に前記プラズマ負荷への電力の供給が維持されるように、且つ、前記負荷が規定された状態で動作されるように、前記規定の動作モードを構成する、
請求項１から３のいずれか１項記載の方法。
【請求項５】
前記電力発生器（２）は、高周波電力信号を生成して、当該生成した高周波電力信号をプラズマ負荷に供給する高周波電力発生器である、
請求項１から４のいずれか１項記載の方法。
【請求項６】
前記規定の動作モードによって、前記負荷における物質状態、特にプラズマ状態が維持されるようにする、
請求項１から５のいずれか１項記載の方法。
【請求項７】
前記規定の動作モードによって、プラズマが消失しないようにする、
請求項１から６のいずれか１項記載の方法。
【請求項８】
前記規定の動作モードにおいて、前記電力発生器（２）の出力電力を低減する、
請求項１から７のいずれか１項記載の方法。
【請求項９】
前記所定の第１イベントが発生した場合に、
ａ．前記電力発生器（２）の前記出力電力を低減する動作モード、
ｂ．現在の動作方式に比べて電流消費量が少ない動作方式に切り換える動作モード、
のうちの少なくとも一方の動作モードをトリガする、
請求項１から８のいずれか１項記載の方法。
【請求項１０】
第２イベントの発生を特定するために、前記系統電圧（３）又は前記系統電圧（３）から導出されるパラメータを、前記第１基準値又は第２基準値（ＵＮ２）の突破、特に前記第１基準値又は第２基準値（ＵＮ２）の上回りに関して監視する、
請求項１から９のいずれか１項記載の方法。
【請求項１１】
第２イベントの発生を特定するために、前記系統電圧（３）又は前記系統電圧（３）から導出されるパラメータを、前記第１基準値又は第２基準値（ＵＮ２）を突破している期間、特に前記第１基準値又は第２基準値（ＵＮ２）を上回っている期間に関して監視する、
請求項１から１０のいずれか１項記載の方法。
【請求項１２】
前記所定の第２イベントが発生した場合に、
ａ．前記電力発生器（２）の前記出力電力を増加させる動作モード、
ｂ．現在の動作方式に比べて電流消費量が多い動作方式に切り換える動作モード、
のうちの少なくとも一方の動作モードをトリガする、
請求項１から１１のいずれか１項記載の方法。
【請求項１３】
前記第１イベントが発生した場合に、前記電力発生器（２）と前記負荷との間の整合回路（６）の設定を固定する、
請求項１から１２のいずれか１項記載の方法。
【請求項１４】
規定の動作モードの実施中に生成される電力を検出し、引き続く後続動作モードでは、前記規定の動作モード中に検出された前記電力に基づいて電力を生成する、
請求項１から１３のいずれか１項記載の方法。
【請求項１５】
電力発生器（２）であって、
・系統電圧（３）又は前記系統電圧（３）から導出されるパラメータを測定するための測定装置（１０）と、
・測定された前記系統電圧（３）又は前記系統電圧（３）から導出されるパラメータを監視するための監視装置（１１）と、
・請求項１から１４のいずれか１項記載の方法を実施するための動作モード選択装置（１２）と、
を有することを特徴とする電力発生器（２）。
【請求項１６】
生成される電力を測定するための電力測定装置（１５）が設けられている、
請求項１５記載の電力発生器。
【請求項１７】
生成される電力を設定するための設定装置が設けられている、
請求項１５又は１６記載の電力発生器。
【手続補正２】
【補正対象書類名】明細書
【補正対象項目名】００４５
【補正方法】変更
【補正の内容】
【００４５】
電力発生器は、生成される電力を測定するための電力測定装置を有することができる。
【手続補正３】
【補正対象書類名】明細書
【補正対象項目名】００５２
【補正方法】変更
【補正の内容】
【００５２】
電力測定装置１５によって出力部４における電力を測定することができる。これは、電力発生器２で生成された電力、及び／又は、負荷、例えばプラズマ９で反射された電力とすることができる。測定された電力に基づいて、電力発生器２で生成された電力を制御することができ、及び／又は、整合回路６を設定することができる。
【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
光源
前記光源に出力を供給するためのドライバ、
第１のハウジング、及び
前記第１のハウジングを受入れるように構成される第２のハウジング、
を有する照明デバイスであって、
前記第１のハウジングは、前記光源及び前記ドライバを位置付けるのに適した少なくとも１つのコンパートメントを備えるブリスターパックを有し、
前記第２のハウジングは、第１の表面及び該第１の表面と反対側の第２の表面を備えるラミネートを有し、前記第１の表面及び前記第２の表面は、波型構造を挟み込み、前記第１のハウジングは、前記第１の表面及び前記第２の表面間に位置付けられる、照明デバイス。
【請求項２】
当該照明デバイスは、
前記光源により出力される光を処理するための光学部材、及び
サーマル部材、
をさらに有し、
前記サーマル部材は、可撓性ヒートシンク及び／又はヒートスプレッダを有し、前記サーマル部材は、前記第１のハウジング内に位置付けられる、請求項１に記載の照明デバイス。
【請求項３】
前記第２のハウジングは、プラスチックラミネートを有する、請求項１又は２に記載の照明デバイス。
【請求項４】
前記第２のハウジングは、紙ラミネートを有する、請求項１又は２に記載の照明デバイス。
【請求項５】
前記第２のハウジングは、前記波型構造が紙構造を有し、前記第１の表面及び前記第２の表面の少なくとも一方がさらなる材料を有する、ハイブリッド波型ラミネートを有する、請求項４に記載の照明デバイス。
【請求項６】
前記第２のハウジングは、前記波型構造がプラスチック構造を有し、前記第１の表面及び前記第２の表面の少なくとも一方がさらなる材料を有する、ハイブリッド波型ラミネートを有する、請求項３に記載の照明デバイス。
【請求項７】
前記第２のハウジングは、照明器具を形成する、請求項１乃至６の何れか一項に記載の照明デバイス。
【請求項８】
前記第２のハウジングの前記第１の表面及び前記第２の表面の少なくとも一方は、装飾ベニヤを有する、請求項１乃至７の何れか一項に記載の照明デバイス。
【請求項９】
前記第２のハウジングはさらに、前記光源により発せられる光が透過する光出口窓を有する、請求項１乃至８の何れか一項に記載の照明デバイス。
【請求項１０】
前記第２のハウジングは、フォルダブル波型ラミネートを有する、請求項１乃至９の何れか一項に記載の照明デバイス。
【請求項１１】
前記第２のハウジングは、輸送のため第１の方向に折られ、後に動作前に第２の方向に折られるよう構成される、請求項１０に記載の照明デバイス。
【手続補正書】
【提出日】平成30年8月17日(2018.8.17)
【手続補正１】
【補正対象書類名】特許請求の範囲
【補正対象項目名】全文
【補正方法】変更
【補正の内容】
【特許請求の範囲】
【請求項１】
光源、及び主放熱面を有するヒートシンクエリアを有するランプ、並びに
主面を有する冷却構造と熱経路を介して結合されるシェード構造を有するランプシェード、
を有する照明デバイスを形成する照明デバイス部品キットであって、
前記ランプシェード及び前記ランプの取付位置において、前記冷却構造の前記主面は、前記ヒートシンクエリアの前記主放熱面と隣接し、
前記光源は、前記放熱面の周りに配置され、
前記冷却構造は、互いに対向する主面を持つ２つのフィンを有し、前記フィンは、対応する前記主放熱面の輪郭と同様の主面の輪郭を持ち、前記ヒートシンクエリアの各側において対応する前記主放熱面と隣接する、照明デバイス部品キット。
【請求項２】
前記熱経路は、前記冷却構造の前記主面の最大断面幅の少なくとも２５％の断面幅を持つ、請求項１に記載の照明デバイス部品キット。
【請求項３】
前記冷却構造は、前記ランプシェードと一体である、請求項１又は２に記載の照明デバイス部品キット。
【請求項４】
前記冷却構造は、前記ヒートシンクエリアの前記主放熱面と弾性力及び／又は押圧力をもって前記主面により当接する、請求項１、２又は３に記載の照明デバイス部品キット。
【請求項５】
前記ヒートシンクエリアは、前記２つのフィンによりクランプされる、請求項１に記載の照明デバイス部品キット。
【請求項６】
前記冷却構造及び前記ヒートシンクエリアは似た形状である、請求項１乃至５の何れか一項に記載の照明デバイス部品キット。
【請求項７】
前記冷却構造は、前記シェード構造により囲まれる、請求項１乃至６の何れか一項に記載の照明デバイス部品キット。
【請求項８】
前記光源は、前記ヒートシンクエリアと同心状に配置される、請求項１乃至７の何れか一項に記載の照明デバイス部品キット。
【請求項９】
前記ランプシェードは、２つの同様の半部から成る、請求項１乃至８の何れか一項に記載の照明デバイス部品キット。
【請求項１０】
前記ランプ及び前記ランプシェードは、ランプ軸に沿って互いにシフト可能である、請求項１乃至９の何れか一項に記載の照明デバイス部品キット。
【請求項１１】
前記光源に面する前記ランプシェードの表面は、少なくとも８０％、好ましくは、少なくとも９０％の反射率を持つ、請求項１乃至１０の何れか一項に記載の照明デバイス部品キット。
【請求項１２】
請求項１乃至１１の何れか一項に記載の照明デバイス部品キットのランプシェードの特徴を全て持つランプシェード。
【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
サーバコンピューティングデバイスによって、第1のベッドサイドコンピューティングデバイスへの第1のネットワーク接続を確立するステップと、
前記サーバコンピューティングデバイスによって、前記第1のベッドサイドコンピューティングデバイスのための第1のデバイスプロファイルを選択するステップと、
前記サーバコンピューティングデバイスによって、前記第1のベッドサイドコンピューティングデバイスに前記第1のデバイスプロファイルを提供するステップと、
前記サーバコンピューティングデバイスによって、前記第1のベッドサイドコンピューティングデバイスと異なる第2のベッドサイドコンピューティングデバイスへの第2のネットワーク接続を確立するステップと、
前記サーバコンピューティングデバイスによって、前記第2のベッドサイドコンピューティングデバイスのための第2のデバイスプロファイルを選択するステップと、
前記サーバコンピューティングデバイスによって、前記第2のベッドサイドコンピューティングデバイスに前記第2のデバイスプロファイルを提供するステップと
を備える、方法。
【請求項２】
前記第1のベッドサイドコンピューティングデバイスのための前記第1のデバイスプロファイルが、前記第1のベッドサイドコンピューティングデバイスと関連付けられる固有の識別子に基づいて選択される、請求項1に記載の方法。
【請求項３】
前記第1のベッドサイドコンピューティングデバイスのための前記第1のデバイスプロファイルが、前記第1のベッドサイドコンピューティングデバイスの配備位置に基づいて選択される、請求項1に記載の方法。
【請求項４】
前記第1のベッドサイドコンピューティングデバイスのための前記第1のデバイスプロファイルが、前記第1のベッドサイドコンピューティングデバイスに直接接続された少なくとも1つのセンサから受け取られるセンサデータを、前記第1のベッドサイドコンピューティングデバイスに処理させるように構成される、請求項1に記載の方法。
【請求項５】
前記第1のベッドサイドコンピューティングデバイスのための前記第1のデバイスプロファイルが、少なくとも1つの医療デバイスを介して前記第1のベッドサイドコンピューティングデバイスに接続された少なくとも1つのセンサから受け取られるセンサデータを、前記第1のベッドサイドコンピューティングデバイスに処理させるように構成される、請求項1に記載の方法。
【請求項６】
前記第1のデバイスプロファイルが前記第1のベッドサイドコンピューティングデバイスと関連付けられる位置情報を含み、前記位置情報が健康管理施設における前記第1のベッドサイドコンピューティングデバイスの配備位置を規定する、請求項1に記載の方法。
【請求項７】
前記第1のデバイスプロファイルが前記第1のベッドサイドコンピューティングデバイスと関連付けられるサービス情報を含み、前記サービス情報が、前記第1のデバイスプロファイルのカスタマイズの対象とされている少なくとも1つの健康管理サービスを規定する、請求項1に記載の方法。
【請求項８】
前記第1のデバイスプロファイルが前記第1のベッドサイドコンピューティングデバイスと関連付けられるネットワーク情報を含み、前記ネットワーク情報が、前記第1のベッドサイドコンピューティングデバイスによって使用されるべき1つまたは複数の接続設定を規定する、請求項1に記載の方法。
【請求項９】
前記第1のデバイスプロファイルが前記第1のベッドサイドコンピューティングデバイスと関連付けられるアクセス情報を含み、前記アクセス情報が、前記第1のベッドサイドコンピューティングデバイスの1人または複数の認定されたユーザを規定する、請求項1に記載の方法。
【請求項１０】
前記第1のデバイスプロファイルが前記第1のベッドサイドコンピューティングデバイスと関連付けられるユーザインターフェース情報を含み、前記ユーザインターフェース情報が、1つまたは複数のグラフィカルユーザインターフェースを提示する際に前記第1のベッドサイドコンピューティングデバイスによって使用されるべき1つまたは複数のレイアウト設定を規定する、請求項1に記載の方法。
【請求項１１】
前記第1のデバイスプロファイルが前記第1のベッドサイドコンピューティングデバイスと関連付けられるアプリケーション情報を含み、前記アプリケーション情報が、前記第1のベッドサイドコンピューティングデバイス上で実行される1つまたは複数のアプリケーションを規定する、請求項1に記載の方法。
【請求項１２】
サーバコンピューティングデバイスであって、
少なくとも1つのプロセッサと、
コンピュータ可読命令を記憶するメモリとを備え、前記コンピュータ可読命令が、前記少なくとも1つのプロセッサによって実行されると、前記サーバコンピューティングデバイスに、
第1のベッドサイドコンピューティングデバイスへの第1のネットワーク接続を確立させ、
前記第1のベッドサイドコンピューティングデバイスのための第1のデバイスプロファイルを選択させ、
前記第1のベッドサイドコンピューティングデバイスへ前記第1のデバイスプロファイルを提供させ、
前記第1のベッドサイドコンピューティングデバイスと異なる第2のベッドサイドコンピューティングデバイスへの第2のネットワーク接続を確立させ、
前記第2のベッドサイドコンピューティングデバイスのための第2のデバイスプロファイルを選択させ、
前記第2のベッドサイドコンピューティングデバイスへ前記第2のデバイスプロファイルを提供させる、サーバコンピューティングデバイス。
【請求項１３】
前記第1のベッドサイドコンピューティングデバイスのための前記第1のデバイスプロファイルが、前記第1のベッドサイドコンピューティングデバイスと関連付けられる固有の識別子に基づいて選択される、請求項12に記載のサーバコンピューティングデバイス。
【請求項１４】
前記第1のベッドサイドコンピューティングデバイスのための前記第1のデバイスプロファイルが、前記第1のベッドサイドコンピューティングデバイスの配備位置に基づいて選択される、請求項12に記載のサーバコンピューティングデバイス。
【請求項１５】
少なくとも1つのコンピューティングデバイスによって実行されると、前記少なくとも1つのコンピューティングデバイスに、
第1のベッドサイドコンピューティングデバイスへの第1のネットワーク接続を確立させ、
前記第1のベッドサイドコンピューティングデバイスのための第1のデバイスプロファイルを選択させ、
前記第1のベッドサイドコンピューティングデバイスへ前記第1のデバイスプロファイルを提供させ、
前記第1のベッドサイドコンピューティングデバイスと異なる第2のベッドサイドコンピューティングデバイスへの第2のネットワーク接続を確立させ、
前記第2のベッドサイドコンピューティングデバイスのための第2のデバイスプロファイルを選択させ、
前記第2のベッドサイドコンピューティングデバイスへ前記第2のデバイスプロファイルを提供させる命令を記憶した、1つまたは複数のコンピュータ可読記録媒体。
【手続補正書】
【提出日】平成30年5月17日(2018.5.17)
【手続補正１】
【補正対象書類名】特許請求の範囲
【補正対象項目名】全文
【補正方法】変更
【補正の内容】
【特許請求の範囲】
【請求項１】
反射ベース及び開いた上部を有する反射ハウジングと、
前記反射ハウジング内部に取り付けられたＬＥＤと、
前記ＬＥＤに関連する燐光体と、
前記反射ハウジングの前記開いた上部の上の光学ビーム整形構成部と
を備える、小型ＬＥＤ照明ユニットであって、
前記光学ビーム整形構成部が、第１及び第２の微細構造化シートを備え、前記第２のシートが、前記反射ベースに関して前記第１のシートの上にあり、前記第１のシートが第１の構造化層を備え、前記第２のシートが第２の構造化層を備え、これら構造化層が、前記ＬＥＤとは逆向きの細長い局所的に平行な稜部のアレイを有し、且つ各稜部のピークで頂点角度を有し、一方のシートの前記稜部は、局所交差角度が３０〜１５０度であるように他方のシートの前記稜部と交差され、
それぞれの反射ハウジングに関連付けられる各ＬＥＤ／光学ビーム整形構成部は、１シート当たり約５０〜１０００個の範囲内の稜部の数を備える、小型ＬＥＤ照明ユニット。
【請求項２】
前記第１及び第２の構造化層の前記頂点角度が、７０〜１３０度の範囲内である、請求項１に記載の小型ＬＥＤ照明ユニット。
【請求項３】
前記第１及び第２の構造化層の前記頂点角度の和が、１７０〜２２０度の範囲内である、請求項２に記載の小型ＬＥＤ照明ユニット。
【請求項４】
前記第１の構造化層が第１の屈折率の第１の材料と接触し、前記第２の構造化層が第２の屈折率の第２の材料と接触し、前記第１の構造化層の材料が、前記第１の屈折率よりも０．３〜０．５５だけ大きい屈折率を有し、前記第２の構造化層の材料が、前記第２の屈折率よりも０．３〜０．５５だけ大きい屈折率を有する、請求項１乃至３の何れか一項に記載の小型ＬＥＤ照明ユニット。
【請求項５】
前記第１及び第２の材料が、
１．０の屈折率を有する空気、又は
１．３〜１．６の屈折率を有する接着剤
を含む、請求項４に記載の小型ＬＥＤ照明ユニット。
【請求項６】
前記第１及び第２の材料が空気を含み、前記第１及び第２の構造化層の前記頂点角度が、９５〜１０５度の範囲内であり、前記第１及び第２の構造化層の複合屈折率が、２．８〜２．９の範囲内であり、各構造化層の屈折率が、１．４〜１．５の範囲内である、請求項５に記載の小型ＬＥＤ照明ユニット。
【請求項７】
前記交差角度が、６０〜１２０度である、請求項１乃至６の何れか一項に記載の小型ＬＥＤ照明ユニット。
【請求項８】
各微細構造化シートが、ベース層と、前記ベース層の上の前記構造化層とを備える、請求項１乃至７の何れか一項に記載の小型ＬＥＤ照明ユニット。
【請求項９】
前記ベース層が、ポリイミド、熱安定化されたＰＥＴ、又は熱安定化されたＰＥＮを含む、請求項８に記載の小型ＬＥＤ照明ユニット。
【請求項１０】
前記第１及び第２の構造化層が、シリコーン又はハイブリッドシリコーンを含む、請求項１乃至９の何れか一項に記載の小型ＬＥＤ照明ユニット。
【請求項１１】
前記燐光体が、
前記燐光体の上にエアギャップを有して、前記ＬＥＤの上に直接提供されるか、
前記ＬＥＤと前記開いた上部との間で前記反射ハウジングを充填して提供されるか、又は
前記第１の微細構造化シートの下の、且つ前記ＬＥＤから離間された層として提供される、請求項１乃至１０の何れか一項に記載の小型ＬＥＤ照明ユニット。
【請求項１２】
カメラフラッシュユニットを備える、請求項１乃至１１の何れか一項に記載の小型ＬＥＤ照明ユニット。
【請求項１３】
カメラ光学センサと、請求項１２に記載のフラッシュユニットとを備える、モバイルポータブルデバイス。
【請求項１４】
センサ要素の直交する行及び列を備える光学センサと、
請求項１２に記載のカメラフラッシュユニットと
を備えるカメラであって、１つのシートの前記稜部の向きが、行又は列方向に対して２０〜７０度で角度を付けられる、カメラ。
【請求項１５】
１つのシートの前記稜部の前記向きが、前記行又は列方向に対して３０〜６０度で角度を付けられる、請求項１４に記載のカメラ。
【手続補正書】
【提出日】平成30年5月15日(2018.5.15)
【手続補正１】
【補正対象書類名】特許請求の範囲
【補正対象項目名】全文
【補正方法】変更
【補正の内容】
【特許請求の範囲】
【請求項１】
鉄道車両または鉄道において、車両搭載機器の電気絶縁に用いるのに適した、ａ）雲母−アラミド層とｂ）アラミド層とを含む積層構造体であって、
ａ）前記雲母−アラミド層は、前記雲母−アラミド層中の雲母と第１結合剤とアラミドフロックの量を基準にして、３５〜５５重量パーセントの雲母と、２０〜６０重量パーセントの第１結合剤と、５〜２５重量パーセントの第１アラミドフロックとを含み、前記雲母は前記雲母−アラミド層中に均一に分散しており、前記雲母−アラミド層は第１面と第２面とを有し；
ｂ）前記アラミド層は、前記アラミド層中の第２結合剤および第２フロックの量を基準にして、３５〜７５重量パーセントの第２結合剤と２５〜６５重量パーセントの第２アラミドフロックとを含み、前記アラミド層は基本的に雲母を含まず、前記アラミド層は第１面と第２面とを有し；
前記雲母−アラミド層自体は３７パーセント以上の限界酸素指数（ＬＯＩ）を有し、かつ前記アラミド層自体は３０パーセント以下のＬＯＩを有し、前記アラミド層は、引張り強さおよび伸び率が前記雲母−アラミド層より大きく；
前記雲母−アラミド層の前記第１面または第２面が均質かつ連続的に前記アラミド層の前記第１面に結合しており；前記積層構造体はさらに、
ｉ）少なくとも０．１０ｍｍの厚さと、
ｉｉ）３２パーセントより大きいＬＯＩを有し、
ｉｉｉ）ＬＯＩを測定するために酸素環境で炎にさらすと、前記積層構造体が一体物のように燃える、
積層構造体。
【請求項２】
前記アラミド層の前記第２面に均質かつ連続的に接着剤によって結合された別の雲母−アラミド層ａ）をさらに含む、請求項１に記載の積層構造体。
【手続補正２】
【補正対象書類名】明細書
【補正対象項目名】００５１
【補正方法】変更
【補正の内容】
【００５１】
実施例４
５層積層構造体（接着剤を利用）と３層積層品（接着剤なし）（どちらも、実施例１と同じ高いＬＯＩを有する）を、実施例１および実施例３の一般手順を用いて作るが、ここでは、さらに０．０８ｍｍの厚さの薄い雲母−アラミド層「Ａ」をアラミド層の隣に配置する。言い換えれば、アラミド層が、２つの雲母−アラミド層の間に挟まれたもの（接着剤を用いた場合と接着剤を用いない場合）である。得られた５層積層品は厚さが０．２２ｍｍ（接着剤はおおよそ０．０２ｍｍの厚さまで加える）であり、得られた３層積層品は厚さが０．２０ｍｍである。
次に、本発明の態様を示す。
1.  鉄道車両または鉄道において、車両搭載機器の電気絶縁に用いるのに適した、ａ）雲母−アラミド層とｂ）アラミド層とを含む積層構造体であって、
ａ）前記雲母−アラミド層は、前記雲母−アラミド層中の雲母と第１結合剤とアラミドフロックの量を基準にして、３５〜５５重量パーセントの雲母と、２０〜６０重量パーセントの第１結合剤と、５〜２５重量パーセントの第１アラミドフロックとを含み、前記雲母は前記雲母−アラミド層中に均一に分散しており、前記雲母−アラミド層は第１面と第２面とを有し；
ｂ）前記アラミド層は、前記アラミド層中の第２結合剤および第２フロックの量を基準にして、３５〜７５重量パーセントの第２結合剤と２５〜６５重量パーセントの第２アラミドフロックとを含み、前記アラミド層は基本的に雲母を含まず、前記アラミド層は第１面と第２面とを有し；
前記雲母−アラミド層自体は３７パーセント以上の限界酸素指数（ＬＯＩ）を有し、かつ前記アラミド層自体は３０パーセント以下のＬＯＩを有し、前記アラミド層は、引張り強さおよび伸び率が前記雲母−アラミド層より大きく；
前記雲母−アラミド層の前記第１面または第２面が均質かつ連続的に前記アラミド層の前記第１面に結合しており；前記積層構造体はさらに、
ｉ）少なくとも０．１０ｍｍの厚さと、
ｉｉ）３２パーセントより大きいＬＯＩを有し、
ｉｉｉ）ＬＯＩを測定するために酸素環境で炎にさらすと、前記積層構造体が一体物のように燃える、
積層構造体。
2.  ３５パーセントより大きいＬＯＩを有する、上記１に記載の積層構造体。
3.  前記雲母−アラミド層が接着剤によって前記アラミド層に結合している、上記１に記載の積層構造体。
4.  前記雲母−アラミド層が、前記アラミド層に、それらの層中の第１および／または第２結合剤によって結合している、上記１に記載の積層構造体。
5.  前記第１または第２結合剤がアラミドフィブリドである、上記１に記載の積層構造体。
6.  前記第１および第２結合剤が同じ結合剤である、上記１に記載の積層構造体。
7.  前記第１および第２アラミドフロックが同じアラミドフロックである、上記１に記載の積層構造体。
8.  前記アラミド層の前記第２面に均質かつ連続的に接着剤によって結合された別の雲母−アラミド層ａ）をさらに含む、上記１に記載の積層構造体。
9.  前記第１および／または第２結合剤がアラミドフィブリドである、上記８に記載の積層構造体。
10.  前記第１および第２結合剤が同じ結合剤である、上記８に記載の積層構造体。
11.  前記第１および第２アラミドフロックが同じアラミドフロックである、上記８に記載の積層構造体。
12.  別の雲母−アラミド層ａ）であって、前記アラミド層の前記第２面に、それらの層中の第１および／または第２結合剤によって均質かつ連続的に結合された別の雲母−アラミド層ａ）をさらに含む、上記１に記載の積層構造体。
13.  前記第１または第２結合剤がアラミドフィブリドである、上記１２に記載の積層構造体。
14.  前記第１および第２結合剤が同じ結合剤である、上記１２に記載の積層構造体。
15.  前記第１および第２アラミドフロックが同じアラミドフロックである、上記１２に記載の積層構造体。
【手続補正書】
【提出日】平成30年6月19日(2018.6.19)
【手続補正１】
【補正対象書類名】特許請求の範囲
【補正対象項目名】全文
【補正方法】変更
【補正の内容】
【特許請求の範囲】
【請求項１】
調光可能な光源を制御するコントローラであって、
前記光源が設定されている第１の調光レベルとは異なる第２の調光レベルを受信する入力部と、
経時的に輝度レベルを制御するために、前記光源に制御コマンドを提供する出力部と、
を含み、
前記光源の出力を前記第１の調光レベルから前記第２の調光レベルに調整するように、前記光源が制御されるフェード時間を設定し、設定された前記フェード時間に亘り、前記調光レベルを調整するように前記光源を制御し、
前記フェード時間は、前記第１の調光レベルと前記第２の調光レベルとの差と、前記第１の調光レベル及び前記第２の調光レベルの少なくとも１つの絶対値との両方に依存して選択される、コントローラ。
【請求項２】
前記フェード時間を、固定の持続時間のセグメントのセットに分割し、各セグメントに対し調光レベルを設定する、請求項１に記載のコントローラ。
【請求項３】
前記セグメント内の前記調光レベルを、
前記フェード時間に亘って線形に、又は、
低い調光レベルでは遅い変化速度で、前記フェード時間に亘って非線形に、
変動するように選択する、請求項２に記載のコントローラ。
【請求項４】
前記フェード時間の最小値を設定し、最短フェード時間は、前記第１の調光レベルと前記第２の調光レベルとの差が、閾値を超える場合に設定される、請求項１乃至３の何れか一項に記載のコントローラ。
【請求項５】
前記第２の調光レベルと、前記第１の調光レベルと前記第２の調光レベルとの差とに依存する量で、前記最短フェード時間を上回る前記フェード時間を設定する、請求項４に記載のコントローラ。
【請求項６】
入力として受信された前記調光レベルの信号の更新周波数を決定し、前記更新周波数に依存して、前記フェード時間を適応させる、請求項１乃至５の何れか一項に記載のコントローラ。
【請求項７】
調光可能な固体光源を制御する、請求項１乃至６の何れか一項に記載のコントローラ。
【請求項８】
ＬＥＤ照明器具と、
請求項７に記載のコントローラと、
を含む、照明システム。
【請求項９】
第１の調光レベルに設定されている調光可能な光源を制御する方法であって、
前記第１の調光レベルとは異なる第２の調光レベルを受信するステップと、
前記光源の出力を前記第１の調光レベルから前記第２の調光レベルに調整するように、前記光源が制御されるフェード時間を設定するステップと、
設定された前記フェード時間に亘って、前記調光レベルを調整するように、前記光源を制御するステップと、
を含み、
前記フェード時間は、前記第１の調光レベルと前記第２の調光レベルとの差と、前記第１の調光レベル及び前記第２の調光レベルの少なくとも１つの絶対値との両方に依存して選択される、方法。
【請求項１０】
前記フェード時間を、固定の持続時間のセグメントのセットに分割するステップと、各セグメントに対し、調光レベルを設定するステップと、を含む、請求項９に記載の方法。
【請求項１１】
前記フェード時間に亘って線形に、又は、
低い調光レベルでは遅い変化速度で、前記フェード時間に亘って非線形に、
変動する前記セグメントの調光レベルを選択するステップを含む、請求項１０に記載の方法。
【請求項１２】
前記フェード時間の最小値を設定するステップと、前記第１の調光レベルと前記第２の調光レベルとの差が、閾値を超える場合に、最短フェード時間を設定するステップと、を含む、請求項９乃至１１の何れか一項に記載の方法。
【請求項１３】
前記第２の調光レベルと、前記第１の調光レベルと前記第２の調光レベルとの差とに依存する量で、前記最短フェード時間を上回る前記フェード時間を設定するステップを含む、請求項１２に記載の方法。
【請求項１４】
固体光源を制御するステップを含む、請求項９乃至１３の何れか一項に記載の方法。
【請求項１５】
コンピュータ上で実行されると、請求項９乃至１４の何れか一項に記載の方法を行わせるコード手段を含む、コンピュータプログラム。
【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
ユーザの指の第一体節に装着されるように構成されるスマートリングと；
少なくとも１つの屈曲センサと前記指の第二体節との間の距離を検出することができるような方法で前記スマートリング上に固定される少なくとも１つの屈曲センサと；
入力コンポーネントであって、
前記少なくとも１つの屈曲センサからの信号を分析して初期化シーケンスを検出し、
前記検出された初期化シーケンスに応答して、前記スマートリングの座標系を較正し、
前記較正された座標系を使用して前記少なくとも１つの屈曲センサからの更なる信号を解釈する
ように構成される入力コンポーネントと；
を具備するシステム。
【請求項２】
前記入力コンポーネントは更に、前記検出された初期化シーケンスに応答して前記スマートリングを非アクティブ状態からアクティブ状態へ変化させるように更に構成される、
請求項１に記載のシステム。
【請求項３】
前記入力コンポーネントが前記スマートリングに対してコンパニオンデバイス上に配置されるか、前記入力コンポーネントが前記スマートリング上に配置される、
請求項１に記載のシステム。
【請求項４】
ジェスチャコンポーネントを更に備え、該ジェスチャコンポーネントは、前記指のポーズ及び少なくとも１つの他のセンサからの追加の信号を分析して、前記ポーズ及び前記追加の信号に関連付けられるジェスチャを特定するように構成される、
請求項１に記載のシステム。
【請求項５】
前記入力コンポーネントは更に、前記検出された初期化シーケンスを使用して前記座標系を較正するように更に構成される、
請求項１に記載のシステム。
【請求項６】
前記座標系は、前記指の回転運動に関連する第１の軸と、前記指の屈曲及び／又は伸張に関連する第２の軸と含み、前記第１の軸及び前記第２の軸は前記ユーザの手首を通過する、
請求項５に記載のシステム。
【請求項７】
前記スマートリングに対して固定される回転センサを更に備え、該回転センサは、前記指の回転を検出するように構成され、前記入力コンポーネントは更に、前記回転センサからの信号を分析して前記指のポーズを検出するように構成される、
請求項１に記載のシステム。
【請求項８】
コンピュータで実施される方法であって：
手の指に装着されるスマートリングから回転信号を取得するステップであって、前記手に対する指の回転を反映している前記回転信号を取得するステップと；
前記指の屈曲を反映している屈曲信号を取得するステップと；
前記指の指先の位置に対して前記回転信号及び前記屈曲信号を相関させるステップと；
前記スマートリングのコンパニオンデバイスのコンピューティング環境を決定するステップと；
前記指先の位置及び前記コンピューティング環境を分析して、前記指によって行われる制御入力を特定するステップであって、前記制御入力は前記コンパニオンデバイスの前記コンピューティング環境に関連して特定される、ステップと；
を具備する、コンピュータで実施される方法。
【請求項９】
前記の分析は、前記回転信号及び前記屈曲信号を、表面に対する前記指のポーズにおける変化と解釈して前記制御入力を特定することを含む、
請求項８に記載のコンピュータで実施される方法。
【請求項１０】
前記制御入力をコンパニオンデバイスに対して実施するステップを更に備える、
請求項８に記載のコンピュータで実施される方法。
【請求項１１】
前記指先の前記位置は、前記コンピューティング環境がウェブブラウザであるときにスクロール入力として解釈され、前記指先の前記位置は異なるコンピューティング環境についてドラッグ入力として解釈される、
請求項８に記載のコンピュータで実施される方法。
【請求項１２】
前記屈曲信号を取得するステップは、前記スマートリング上の屈曲センサで前記屈曲信号を感知すること、又は前記スマートリングから前記屈曲信号を取得することを含む、
請求項８に記載のコンピュータで実施される方法。
【請求項１３】
前記屈曲信号は、前記指の第一体節で装着される前記スマートリングから又は前記指の第二体節までの距離を含む、
請求項１２に記載のコンピュータで実施される方法。
【請求項１４】
前記回転信号を取得するステップ及び前記屈曲信号を取得するステップは、前記回転信号及び前記屈曲信号を前記コンパニオンデバイスで受け取ることを含み、前記コンパニオンデバイスが、前記の分析を実行する、
請求項８に記載のコンピュータで実施される方法。
【請求項１５】
前記コンパニオンデバイスは、スマートフォン、スマート時計、スマート眼鏡、タブレット型コンピュータ又はディスプレイデバイスを備える、
請求項１４に記載のコンピュータで実施される方法。